(57)【要約】  本願は、薄型受話器を提供し、ハウジングと、枠状フレーム、ダイアフラムおよび密封膜を備える振動膜モジュールと、コイルとを備え、枠状フレームの一部の側壁とハウジングの内壁面との間が取り付け領域に形成され、コイルが取り付け領域に密封して固定され、枠状フレーム外に密封して套接され、密封膜が展張して枠状フレームとダイアフラムとの間の全ての第１の隙間密封が密封されることにより、振動膜モジュールを境にし、ハウジングの取り付けキャビティが並列で連通しない２つのキャビティに分けられる。コイルに通電すると、コイルにより生じる電磁界は、受話器のおける永久磁石の固定磁界と相互作用が発生し、ダイアフラム全体は振動し、コイルが振動膜モジュールを被せて薄型受話器を形成する場合に、密封膜を覆いたダイアフラムをいずれも発声に関与させ、ダイアフラム振動の有效面積を最大化させ、該受話器のラウドネスを高める。【選択図】図１
2021503187.tif 000002
【特許請求の範囲】
【請求項１】
薄型受話器であって、
取り付けキャビティを有するハウジング（１）と、
前記ハウジング（１）に密封して固定される枠状フレーム（２１）と、前記枠状フレーム（２１）に固定され、一端が枠状フレーム（２１）の内部キャビティに宙に浮いているダイアフラム（２２）と、および前記ダイアフラム（２２）と前記枠状フレーム（２１）との間の全ての第１の隙間（２４）を密封して覆う密封膜（２３）とを有する振動膜モジュール（２）と、
取り付け領域内に密封して固定され、前記枠状フレーム（２１）に密封して套接され、前記振動膜モジュール（２）を境にして、前記取り付けキャビティを並列で連通しない第１のキャビティ（１３）と第２のキャビティ（１４）とに分けるコイル（３）とを備え、
前記枠状フレーム（２１）の一部の側壁と前記ハウジング（１）の内壁面との間が取り付け領域になって囲まれ、前記ダイアフラム（２２）の少なくとも一部が軟磁性材料で作られる薄型受話器。
【請求項２】
前記ダイアフラム（２２）の前記枠状フレーム（２１）での固定端（２２１）は、前記コイル（３）の内孔に入り込むことを特徴とする請求項１に記載の薄型受話器。
【請求項３】
前記ダイアフラム（２２）は、前記枠状フレーム（２１）に固定され、前記コイル（３）の内孔に入り込む第１部分と、前記第１部分に成型され、前記コイル（３）外に位置して宙に浮いている第２部分とを備え、
前記コイル（３）の径方向に沿って、前記第２部分の幅は、前記第１部分の幅よりも大きいことを特徴とする請求項２に記載の薄型受話器
【請求項４】
前記第２部分の厚さは、前記第１部分の厚さに等しくないことを特徴とする請求項３に記載の薄型受話器。
【請求項５】
前記第２部分には、前記第１の隙間（２４）の延在方向と同じである調整孔（２２５）が設けられることを特徴とする請求項３または４に記載の薄型受話器。
【請求項６】
前記枠状フレーム（２１）は、前記コイル（３）の内孔に密封して固定され、前記ハウジングとの間が前記取り付け領域に形成される第１の取り付け部（２１１）と、および前記コイル（３）外に位置して前記第１の取り付け部に固定される第２の取り付け部（２１２）とを備え、前記コイル（３）の径方向に沿って、前記第２の取り付け部（２１２）の幅は、前記第１の取り付け部（２１１）の幅よりも大きい。
前記コイル（３）は、前記第２の取り付け部（２１２）の一端に向かって前記第２の取り付け部（２１２）に密封して固定され、前記コイル（３）と前記ハウジングとの間が密封して固定されることを特徴とする請求項２〜５のいずれか１項に記載の薄型受話器。
【請求項７】
前記枠状フレーム（２１）は、前記第２のキャビティ（１４）に向かって折り曲げるよう前記第２の取り付け部（２１２）の少なくとも一端部に設けられる第１の延在部（２１３）をさらに備え、前記第１の延在部（２１３）と前記コイル（３）の内孔壁との間が密封して固定されることを特徴とする請求項６に記載の薄型受話器。
【請求項８】
前記枠状フレーム（２１）は、前記第２の取り付け部（２１２）の第１の取り付け部を固定するために用いられる端部に成型され、前記第１の取り付け部（２１１）の両側に位置する少なくとも２つの支持部（２１４）をさらに備える。
前記支持部（２１４）は、前記ハウジング（１）に固定され、前記第１の取り付け部（２１１）との間が前記取り付け領域になって囲まれ、前記コイル（３）の外壁面が前記支持部（２１４）に固定されることを特徴とする請求項６または７に記載の薄型受話器。
【請求項９】
前記コイル（３）と前記第２の取り付け部（２１２）と第１の取り付け部とハウジングとの間は、シーラントによって固定されることを特徴とする請求項６〜８のいずれか１項に記載の薄型受話器。
【請求項１０】
前記ダイアフラム（２２）は、一端が前記枠状フレーム（２１）に成型され、他端が枠状フレーム（２１）の内部キャビティに宇宙に浮いているダイアフラム本体（２２３）と、前記ダイアフラム本体（２２３）に固定される少なくともひとつのリード（２２４）とを備え、前記リード（２２４）は、軟磁性材料で作られ、少なくとも前記コイル（３）の内孔から第１の隙間（２４）の延在方向に沿って前記ダイアフラム（２２３）本体に延在し、前記ダイアフラム本体（２２３）は、非磁性材料で作られ、前記密封膜（２３）は、前記ダイアフラム本体（２２３）と前記枠状フレーム（２１）とに固定されることを特徴とする請求項１〜９のいずれか１項に記載の薄型受話器。
【請求項１１】
前記ハウジング（１）は、開口が互いに係合する第１のケーシング（１１）と第２のケーシング（１２）を備え、前記枠状フレーム（２１）は、前記第１のケーシング（１１）と前記第２のケーシング（１２）との開口の間に挟持して固定されることを特徴とする請求項１〜１０のいずれか１項に記載の薄型受話器。
【請求項１２】
前記ダイアフラム（２２）の一側面に少なくともひとつの補強リブ（２２６）が設けられ、または／および、
前記密封膜（２３）は、前記枠状フレーム（２１）と前記ダイアフラム（２２）とに展張して固定されることを特徴とする請求項１〜１１のいずれか１項に記載の薄型受話器。
【請求項１３】
前記コイル（３）の内孔壁には、少なくとも１つの位置決め部（３１）が設けられ、前記コイル（３）は、前記位置決め部（３１）を介して前記枠状フレーム（２１）に套接されることを特徴とする請求項１〜１２のいずれか１項に記載の薄型受話器。
【請求項１４】
前記位置決め部（３１）は、前記コイル（３）の内孔壁に外から内に凹んでいる凹溝であり、前記枠状フレーム（２１）の側壁端は、それに隣接する前記凹溝内に嵌装されることを特徴とする請求項１３に記載の薄型受話器。
【請求項１５】
前記凹溝の縦断面の形状はＵ型またはＶ形状であり、または前記凹溝の縦断面の形状は、Ｕ型および前記Ｕ型開口処に接合して固定される倒立台形を含み、前記倒立台形の長辺処は、前記凹溝の切り欠きに形成されることを特徴とする請求項１４に記載の薄型受話器。
【請求項１６】
前記位置決め部（３１）は２つであり、２つの前記位置決め部（３１）は、前記コイル（３）の内孔壁に対称に設けられることを特徴とする請求項１３〜１５のいずれか１項に記載の薄型受話器。
【発明の詳細な説明】
【技術分野】
【０００１】
本願は、音響学技術分野に関し、具体的に、薄型受話器に関する。
【背景技術】
【０００２】
受話器は、音声漏れのない条件において、オーディオ電気信号を音声電気信号に変換する電気音響デバイスであり、携帯電話、固定電話、イヤホン等の通信端末装置に広く用いられ、オーディオの出力を実現する。
【０００３】
例えば、特許文献ＣＮ１０３０６７８０Ｂに開示される受話器は、開口が対向して係合する下部ケーシングと、および順に接続される第１のケーシングと、第３のケーシングと、および第２のケーシングとを備える上部ケーシングと、ＥＶ字形状のリードと、Ｅ字形状リード中間アームの根元部に套設されるコイルとを備え、中間アームがコイルから延出して宙に浮いている一端が振動部となり、コイルは、第２のケーシングと下部ケーシングとの間の領域に位置し、第１のケーシングおよび下部ケーシングにそれぞれ固定される第１の永久磁石および第２の永久磁石と、一端が第３のケーシングに固定され、他端がＥ形リードの振動部に前へ展張して第１のケーシングに固定される薄膜とをさらに備え、薄膜は、リードのコイルが套設される部分に展張されていなく、薄膜を境にし、ケーシング内の密閉キャビティが第３のケーシングと薄膜と第１のケーシングとの間で囲まれた発声キャビティと、下部ケーシングと第２のケーシング、薄膜との間で囲まれた取り付けキャビティとに分けられる。
【０００４】
この構造の受話器は、振動部のみに薄膜が被せられるので、コイルに通電した後、コイルにより生じる電磁界と２つの永久磁石の固定磁界との間に相互作用が発生することで、振動部は、発声キャビティの空気を振動させ発声するように連動するように、薄膜を連動して振動する。この受話器のリードは、展張薄膜の振動部のみが発声に関与し、リードに薄膜が展張られていない部分は発声に関与せず、リードが発声に関与する有効面積が低く、この受話器のラウドネスが低く、受話器の発声性能に影響する。また、第３のケーシングが設けられているため、受話器の構造が複雑になったり、製造プロセスの難易度が高くなったりする。
【発明の概要】
【発明が解決しようとする課題】
【０００５】
そのため、本願が解決しようとする技術的課題は、従来技術の薄型受話器においてリードの根元にコイルを被せる場合に、リードが発声に関与する部分は少なく、受話器の発声のラウドネスが低いという欠点である。
【課題を解決するための手段】
【０００６】
そのため、本願は、薄型受話器を提供し、
取り付けキャビティを有するハウジングと、
前記ハウジングに密封して固定される枠状フレームと、前記枠状フレームに固定され、一端が枠状フレームの内部キャビティに宙に浮いているダイアフラムと、および前記ダイアフラムと前記枠状フレームとの間の全ての第１の隙間を密封して覆う密封膜とを有する振動膜モジュールと、
取り付け領域内に密封して固定され、前記枠状フレームに密封して套接され、前記振動膜モジュールを境にして、前記取り付けキャビティを並列で連通しない第１のキャビティと第２のキャビティとに分けるコイルとを備え、
前記枠状フレームの一部の側壁と前記ハウジングの内壁面との間が取り付け領域になって囲まれ、前記ダイアフラムの少なくとも一部が軟磁性材料で作られる。
【０００７】
あるいは、前記薄型受話器において、前記ダイアフラムの前記枠状フレームでの固定端は、前記コイルの内孔に入り込む。
【０００８】
あるいは、前記薄型受話器において、前記ダイアフラムは、前記枠状フレームに固定され、前記コイルの内孔に入り込む第１部分と、前記第１部分に成型され、前記コイル外に位置して宙に浮いている第２部分とを備え、
前記コイルの径方向に沿って、前記第２部分の幅は、前記第１部分の幅よりも大きい。
【０００９】
あるいは、前記薄型受話器において、前記第２部分の厚さは、前記第１部分の厚さに等しくない。
【００１０】
あるいは、前記薄型受話器において、前記第２部分には、前記第１の隙間の延在方向と同じである調整孔が設けられる。
【００１１】
あるいは、前記薄型受話器において、前記枠状フレームは、前記コイルの内孔に密封して固定され、前記ハウジングとの間が前記取り付け領域に形成される第１の取り付け部と、および前記コイル外に位置して前記第１の取り付け部に固定される第２の取り付け部とを備え、前記コイルの径方向に沿って、前記第２の取り付け部の幅は、前記第１の取り付け部の幅よりも大きい。
【００１２】
前記コイルは、前記第２の取り付け部の一端に向かって前記第２の取り付け部に密封して固定され、前記コイルと前記ハウジングとの間が密封して固定される。
【００１３】
あるいは、前記薄型受話器において、前記枠状フレームは、前記第２のキャビティに向かって折り曲げるよう前記第２の取り付け部の少なくとも一端部に設けられる第１の延在部をさらに備え、前記第１の延在部と前記コイルの内孔壁との間が密封して固定される。
【００１４】
あるいは、前記薄型受話器において、前記枠状フレームは、前記第２の取り付け部の第１の取り付け部を固定するために用いられる端部に成型され、前記第１の取り付け部の両側に位置する少なくとも２つの支持部をさらに備える。
【００１５】
前記支持部は、前記ハウジングに固定され、前記第１の取り付け部との間が前記取り付け領域になって囲まれ、前記コイルの外壁面が前記支持部に固定される。
【００１６】
あるいは、前記薄型受話器において、前記コイルと前記第２の取り付け部と第１の取り付け部とハウジングとの間は、シーラントによって固定される。
【００１７】
あるいは、前記薄型受話器において、前記ダイアフラムは、一端が前記枠状フレームに成型され、他端が枠状フレームの内部キャビティに宇宙に浮いているダイアフラム本体と、前記ダイアフラム本体に固定される少なくともひとつのリードとを備え、前記リードは、軟磁性材料で作られ、少なくとも前記コイルの内孔から第１の隙間の延在方向に沿って前記ダイアフラム本体に延在し、前記密封膜は、前記ダイアフラム本体と前記枠状フレームに固定される。
【００１８】
あるいは、前記薄型受話器において、前記ハウジングは、開口が互いに係合する第１のケーシングと第２のケーシングを備える。
【００１９】
前記枠状フレームは、前記第１のケーシングと前記第２のケーシングとの開口の間に挟持して固定される。
【００２０】
あるいは、前記薄型受話器において、前記ダイアフラムの一側面に少なくともひとつの補強リブが設けられ、または／および、
前記密封膜は、前記枠状フレームと前記ダイアフラムとに展張して固定される。
【００２１】
あるいは、前記薄型受話器において、コイルの内孔壁には、少なくとも１つの位置決め部が設けられ、前記コイルは、前記位置決め部を介して前記枠状フレームに套接される。
【００２２】
あるいは、前記薄型受話器は、前記位置決め部は、前記コイルの内孔壁に外から内に凹んでいる凹溝であり、前記枠状フレームの側壁端は、それに隣接する前記凹溝内に嵌装される。
【００２３】
さらにあるいは、前記薄型受話器において、前記凹溝の縦断面の形状はＵ型またはＶ形状であり、または前記凹溝の縦断面の形状は、Ｕ型および前記Ｕ型開口処に接合して固定される倒立台形を含み、前記倒立台形の長辺処は、前記凹溝の切り欠きに形成される。
【００２４】
さらにあるいは、前記薄型受話器において、前記位置決め部は２つであり、２つの前記位置決め部は、前記コイルの内孔壁に対称に設けられる。
【発明の効果】
【００２５】
本願の技術案、以下のような利点を有している。
１．本願に係る薄型受話器は、ハウジングと、振動膜モジュールと、コイルとを備え、振動膜モジュールは、枠状フレームとダイアフラムおよび密封膜を備え、枠状フレームの一部の側壁とケーシングの内壁面との間が取り付け領域に形成され、コイルが取り付け領域に密封して固定され、枠状フレーム外に密封して套接され、密封膜によって枠状フレームとダイアフラムとの間の全ての第１の隙間が密封されることで、振動膜モジュールを境にして、ハウジングの取り付けキャビティが並列で連通しない２つのキャビティとに分けられる。
【００２６】
コイルに通電すると、コイルは電磁界が発生し、受話器の２つの永久磁石の固定磁界と交互に作用する場合に、コイル内孔と枠状フレームとの間が密封接続され、コイルが取り付け領域内に密封接続され、密封膜が枠状フレームとダイアフラムとの間の全ての第１のギャップを密封し、ダイアフラムのコイル内孔に位置する部分も振動を生じることができ、これにより、ダイアフラム全体を振動させ、第１のキャビティ内の空気または第２のキャビティ内の空気を振動させて発声して、コイルは、振動膜モジュールを被せて薄型受話器を形成する場合に、密封膜を覆いたダイアフラムを発声に関与させ、ダイアフラム振動の有効面積を最大化させ、該受話器のラウドネスを高め、受話器の発声性能を向上させる。
【図面の簡単な説明】
【００２７】
本願の具体的な実施形態または従来技術における技術的解決手段をより明確に説明するために、以下は、具体的な実施形態または従来技術の説明に必要とする図面を簡単に説明し、なお、以下の説明した図面は、本願の実施形態であり、当業者であれば、創造的な労力を付与しない前提で、これらの図面に基づいて、他の図面を得られる。以下に図面の説明をする。
【００２８】
【図１】本願の実施例１に係る受話器の縦方向断面概略図（左右方向）である。
【図２】図１の受話器の縦断面概略図（前後方向）である。
【図３】図１の振動膜モジュールの概略構成図である。
【図４】図１における受話器が第１のケーシング及び第１の永久磁石を除去した後の部分概略図である。
【図５】図１の受話器の振動膜モジュールの別の構造概略図である。
【図６】本願の実施例２に係る第１の種類の受話器の第１のケーシング、第１の永久磁石及び支持部を除去した後の平面概略図である。
【図７】図６における受話器のコイルの所在位置での縦方向に沿った断面概略図（左右方向）である。
【図８】本願の実施例２に係る第２種類のレシーバの第１のケーシング、第１の永久磁石及び支持部を除去した後の平面概略図である。
【図９】図８におけるレシーバがコイルの所在位置で縦方向に沿って切断した断面概略図（左右方向）である。
【図１０】本願の実施例２に係る第３種類のレシーバの縦方向断面概略図である。
【図１１】本願の実施例３に係る受話器の縦方向の断面概略図である。
【図１２】本願の実施例４に係る受話器の縦方向の断面概略図である。
【図１３】本願の実施例５に係る第１の受話器の第１のケーシング、第１の永久磁石及び支持部を除去した後の平面概略図である。
【図１４】図１３におけるレシーバがコイルの所在位置で縦方向に沿って切断した断面概略図（左右方向）である。
【図１５】本願の実施例５に係る第２の受話器の第１のケーシング、第１の永久磁石及び支持部を除去した後の平面概略図である。
【図１６】図１５における受話器のコイルの所在位置での縦方向に沿った断面概略図（左右方向）である。
【図１７】本願の実施例６における受話器の振動膜モジュールの概略図である。
【図１８】本願の実施例８に係る受話器のコイルの第１種類の構造概略図である。
【図１９】実施例８に係る受話器のコイルの第２種類の構造概略図である。
【図２０】実施例８に係る受話器のコイルの第３種類の構造概略図である。
【発明を実施するための形態】
【００２９】
以下、図面を参照しながら、本願の技術案を明確で完全に説明し、説明された実施例は本願の一部の実施例にすぎなく、全ての実施例ではないものである。本願における実施例に基づいて、当業者が創造的な労力創造的な労力を付与しない前提で、想到し得られる他の実施例は、いずれも本願の技術的範囲に属するものである。
【００３０】
＜実施例１＞
本実施例は、薄型受話器を提供し、図１乃至図４に示すように、ハウジング１と、振動膜モジュールと、コイル３と、２つの永久磁石とを備える。
【００３１】
ここで、ハウジング１は、開口をそれぞれ有する第１のケーシング１１と第２のケーシング１２を備え、密閉したまたは閉じた取り付けキャビティになって囲まれるように、第１のケーシング１１の底部開口と第２のケーシング１２の頂部の開口とが対向して協力固定される。あるいは、第１のケーシング１１と第２のケーシング１２とは、高透磁率鉄ニッケル合金材料などの高透磁率材料で作られた。
【００３２】
図２、図３および図４に示すように、振動膜モジュールは、枠状フレーム２１と、ダイアフラム２２と、密封膜２３とを備え、枠状フレーム２１は、第１のケーシング１１と第２のケーシング１２との開口の間に挟設され、例えば、レーザ溶接方式で第１のケーシング１１の底部開口、枠状フレーム２１および第２のケーシング１２の頂部開口を密封して固定接続する。
【００３３】
枠状フレーム２１の一部の側壁とハウジング１の内壁面との間は、取り付け領域になって囲まれ、あるいは、取り付け領域は環状を呈しており、例えば、図３に示すように、枠状フレーム２１は、第１の取り付け部２１１と、第１の取り付け部２１１に固定される第２の取り付け部２１２とを備える、コイル３(後に叙述する）の径方向に沿って、第２の取り付け部２１２の幅は、第１の取り付け部２１１の幅よりも大きく、この場合、枠状フレーム２１は「Ｔ」形状を呈しており、第１の取り付け部２１１の側壁とハウジング１の内壁面との間は、取り付け領域になって囲まれ、第２の取り付け部２１２全体は、第１のケーシング１１と第２のケーシング１２との開口の間に固定され、第１の取り付け部２１１の第２の取り付け部２１２から離れた一端は、第１のケーシング１１と第２のケーシング１２との開口の間に固定される。
【００３４】
例えば、図３において、第１の取り付け部２１１の右端は、第１のケーシング１１と第２のケーシング１２との開口の間に密封されて挟持して固定され、第２の取り付け部２１２の左端と前後端とは、いずれも第１のケーシング１１と第２のケーシング１２との開口の間に固定される。
【００３５】
ダイアフラム２２は、図３に示すように、軟磁性材料で作られ、ダイアフラム２２の一端が枠状フレーム２１の第１の部分２１１の内壁面に成型され、他端が第２の取り付け部２１２に向かって延在し、枠状フレーム２１の内部キャビティに宇宙に浮いており、ダイアフラム２２の外側壁と枠状フレーム２１の内壁面と間に第１の隙間２４が形成される。
【００３６】
枠状フレームの構造に類似し、ダイアフラム２２は、枠状フレーム２１の第１の取り付け部２１１に固定され、コイル３の内孔に入り込む第１部分と、第１部分に成型され、コイル３外に位置して宇宙に浮いている第２部分とを備え、前記コイル３の径方向に沿って、第２部分の幅は、前記第１部分の幅よりも大きく、「Ｔ」形状に形成される。
【００３７】
図５に示すように、枠状フレーム２１は、第２の取り付け部２１２の第１の取り付け部２１１を固定するために用いられる端部に成型される２つの支持部２１４をさらに備え、２つの支持部２１４は、第１の取り付け部２１１の両側に位置して、２つの支持部２１４の他端がそれぞれ折り曲げるように第１の取り付け部２１１の両側壁に固定されることにより、２つの支持部２１４は、第１の取り付け部２１１を囲み、例えば、支持部２１４の横断面がＬ形状に形成され、支持部２１４は、ハウジング１に固定され、第１の取り付け部２１１との間が取り付け領域になって囲まれ、コイル３の外壁面が支持部２１４に固定される。
【００３８】
第２の取り付け部２１２に支持部２１４を設けることにより、枠状フレーム全体は「矩形」を呈しており、支持部２１４と第１の取り付け部２１１との間が取り付け領域になって囲まれ、枠状フレーム２１が第１のケーシング１１と第２のケーシング１２の開口の間に取り付けられる場合に、支持部２１４の設置のために、第１のケーシング１１と第２のケーシング１２の開口端面を面一にし、枠状フレーム２１を平らに固定することができ、受話器の取り付けに便利である。
【００３９】
図１に示すように、密封膜２３は、枠状フレーム２１とダイアフラム２２との頂部面に固定されて、全ての第１の隙間２４を覆う。密封膜２３は、枠状フレームとダイアフラムの全体に展張されてもよく、第１の隙間両側が位置する枠状フレームとダイアフラムの位置のみに固定されてもよく、密封膜２３は、高分子材料を用いてもよく、高分子材料としてはＰＥＴまたはＰＥＥなどの材料が挙げる。好ましくは、密封膜２３は、接着剤で枠状フレーム２１とダイアフラム２２に接着される。
【００４０】
図１および図４に示すように、コイル３は、取り付け領域に密封して取り付けされて、枠状フレーム２１の第１の取り付け部２１１外に套設され、コイル３は、第２の取り付け部２１２に向かっている一端が第２の取り付け部２１２に密封して固定され、そのハウジング１に向かっている一端がハウジング１に密封して固定され、コイル３の外周壁面がいずれもハウジング１の内壁面に密封して固定され、コイル３の内孔壁面が第１の取り付け部２１１の側壁と密封固定するが、ダイアフラム２２とコイル３の内孔との間に振動隙間を予め残す。
【００４１】
例えば、シーラントを用いてコイル３をハウジング１、第２の取り付け部２１２、第１の取り付け部２１１とがいずれも密封して固定し、振動膜モジュールを境にし、ハウジング１の取り付けキャビティを並列で連通しない第１のキャビティ１３と第２のキャビティ１４とに分割し、例えば、第１のケーシング１１の内部キャビティは第１のキャビティ１３であり、第２のケーシング１２の内部キャビティは第２のキャビティ１４であり、第１のケーシング１１に出音孔１１１が設けられ、あるいは、第１のケーシング１１に出音孔を設けなく、第２のケーシングに出音孔を設け、第１のキャビティまたは第２のキャビティが位置するハウジング壁面に出音孔を設ければよい。
【００４２】
なお、ハウジング１の密閉した取り付けキャビティとは閉じたの取り付けキャビティも指し、ハウジングに出音孔を設けるだけが受話器とすることができることに鑑みれば、該密閉した取り付けキャビティは外界との絶対的な遮断を意味するものではないが、密封遮断した第１のキャビティと第２のキャビティを形成するためであるが、出音孔は外界と連通している。
【００４３】
あるいは、コイル３に正極リードと負極リードとが設けられ、正極リードと負極リードとがハウジング１を通り抜けてハウジング１外に設けられたランドに接続される。
【００４４】
説明の便宜上、２つの永久磁石は、それぞれ第１の永久磁石４１と第２の永久磁石４２と名付けられており、図１に示すように、第１の永久磁石４１と第２の永久磁石４２は、それぞれ第１のケーシング１１と第２のケーシング１２との内壁面に固定され対向している。第１の永久磁石４１と第２の永久磁石４２とが互いに対向する一端の極性は反対であり、例えば、第１の永久磁石４１の第２の永久磁石４２に向かっている一端の極性はＳ極であり、それに対応して、第２の永久磁石４２の第１の永久磁石４１に向かっている一端の極性はＮ極である。２つの永久磁石はコイル３の所在位置を避けてダイアフラム２２の宙吊り端２２２の両側に位置する。
【００４５】
この実施形態における受話器において、枠状フレーム２１を第１のケーシング１１と第２のケーシング１２との開口の間に展張固定し、コイル３を枠状フレーム２１の第１部分２１１の側壁に密封套接し、ダイアフラム２２とコイル３の内孔との間に振動隙間を残し、密封膜２３はダイアフラム２２と枠状フレーム２１の全体を覆う。コイル３に通電すると、コイル３は電磁界が発生し、ダイアフラム２２は軟磁性材料で作られるために、電磁界によりダイアフラム２２を磁化され、ダイアフラム２２に磁性を帯びさせ、例えば、ダイアフラム２２の宙吊り端２２２はＮ極を呈しており、第１の永久磁石４１のＳ極は、ダイアフラム２２に対して上向きの吸引力を生じ、第２の永久磁石４２のＮ極は、ダイアフラム２２に対して上向きの反発力を生じることで、ダイアフラム２２を取り付けキャビティ内に上向きに振動させ、密封膜２３を連動して振動させ、さらに、発声するように、第１のキャビティ１３内の空気を連動して振動させ、逆に、逆方向にコイル３に通電すると、ダイアフラム２２の宙吊り端２２２が磁化された後の極性はＳ極であり、第１の永久磁石４１のＳ極は、ダイアフラム２２に対して下向きの反発力を生じ、第２の永久磁石４２のＮ極は、ダイアフラム２２に対して下向きの吸引力を生じることで、ダイアフラム２２は密封膜２３を連動して下向きに振動し、第１のキャビティ１３内の空気がダイアフラム２２に伴って下向きに振動し、第１のキャビティ１３内の往復振動発声を実現する。
【００４６】
この実施形態における受話器において、電磁振動系を形成するように、ダイアフラム、電磁コイル、永久磁石は、受話器のコアを構成され、振動系の主要なパラメータは剛性（剛性）、質量、力インピーダンスであり、構造の変更することで、これらの３つのパラメータを変更して最適化にすることにより、所望の要求を実現し、達成することができる。
【００４７】
ひとつの音響学系が定常になると、周波数が変化する場合に、音圧（ラウドネスに対応する）一定にするために、ダイアフラム２２の変位は一定でなければならなく、ダイアフラム２２の運動速度はＶであり、駆動力はＦであり、振動系の力インピーダンスはＺであり、振動ダイアフラム変位はξであり、振動の角周波数はｗであり、振動系は次式の関係を満たす。
【数１】
2021503187.tif 000003
【００４８】
すなわち、一定の駆動力条件下では、振動系は剛性制御系でなければならず、すなわち振動系のインピーダンスは剛性でなければならなく、かつ、以下の式を満たす。
【数２】
2021503187.tif 000004
【００４９】
駆動力周波数ｆが振動系の固有周波数f0よりもはるかに小さい場合に、すなわち、ｆ＜ｆ0の場合に、振動系の弾性は振動系に対して主要な役割を果たし、振動系は弾性制御領域にある。しかしながら、駆動力周波数fが振動系の固有周波数f0よりもはるかに大きい場合に、すなわち、ｆ＞f0の場合に、振動系の質量は振動系に対して主要な役割を果たし、振動系は質量制御領域にある。ひとつの振動系について、その共振周波数は次式の関係を満たす。
【数３】
2021503187.tif 000005
【００５０】
該式で、Ｋは振動系の剛性であり、ｍは振動系運動部材の質量である。
【００５１】
受話器の低ラウドネスはその性能を大きく決定し、低周波帯域振動部件の振動変位の振幅値Ｉは力Ｆに比例し、次式で示すフックの法則に従う。
【数４】
2021503187.tif 000006
【００５２】
してみると、ダイアフラム振動に影響する動的表現は、一方が弾性であり、他方が慣性である。弾性表現が直線性を呈する振動ダイアフラムは、その動的表現が必ず良好であり、音声信号を合理的に復元および再生でき、オーディオ表現も比較的バランスしており、質量が軽いダイアフラムは、その運動慣性が必ず小さく、音声の明瞭さとディテールが比較的よい。したがって、低周波数帯域では、共振周波数f0をできるだけ小さくする必要があり、つまり、低周波数応答を高めるように、ダイアフラムの剛性をできるだけ低下させる必要がある。この条件は、ダイアフラムの根元の局所を薄くするプロセスによって実現することができる
【００５３】
例えば、ダイアフラムの第１部分の厚さは第２部分の厚さよりも小さく、ダイアフラム２２と枠状フレーム２１の第１の取り付け部２１１との間の固定力を低減し、ダイアフラム２２の弾性を大きくにし、さらに、受話器の低周波性能を改善する。あるいは、ダイアフラム２２の枠状フレーム２１に固定される根元のみを局所的に薄くにするだけで、受話器の低周波性能も改善することができる。
【００５４】
しかしながら、高周波数帯域では、共振周波数f0をできるだけ大きくにし、すなわち、高周波応答を高め、比較的広い有効帯域を得るように、ダイアフラム２２の剛性をできるだけ大きくにする。振動ダイアフラム２２の運動慣性をできるだけ低減して過渡応答を高める。この条件は、ダイアフラム前部の非磁力作用領域（ダイアフラムの宙吊り端）に対して一定のプロセス処理を行うことにより、これらの一部ダイアフラムを薄くにしてまたは超薄軽量合金片をインサートしてその上に補強リブ２２６をプレスするプロセス方式で実現される。
【００５５】
例えば、受話器の高周波性能を大きくにするように、ダイアフラム２２の第２部分の厚さは第１部分の厚さよりも小さく、ダイアフラム２２の質量を軽減させる。あるいは、ダイアフラム２２の宙吊り端の部分のみを薄くにする。
【００５６】
容積はＶであるひとつのガスセル（第１のキャビティ１３)について、ダイアフラム２２の振動変位の振幅値ξは定常値となる場合に、ダイアフラムの有効面積Ｓは、振動による音圧Pに対して重要な役割を果たし、次式の関係がある。
【数５】
2021503187.tif 000007
【００５７】
該式で、cは音速であり、P0は基準音圧である。
【００５８】
すなわち、振動系のダイアフラム２２振動の有効面積が大きいほど音圧が高くなる。本実施形態では、全体振動過程で、密封膜２３が全体ダイアフラム２２に展張されるので、コイル３内孔に位置するダイアフラム２２も振動し、ダイアフラムのコイル内孔に位置する部分の面積を十分に利用して、該振動膜モジュールのダイアフラム２２をいずれも発声過程を関与させ、ダイアフラム２２の有効振動面積が大きくなり、音圧指標の発揮が最大化され、受話器のラウドネスを高めて、受話器の発声性能を改善する。
【００５９】
同時に、受話器の構造がシンプルで、加工製造と組立に便利であり、該受話器の組立過程は、コイル３と第１の永久磁石４１をそれぞれ第１のケーシング１１の内壁面に予め固定し、第２の永久磁石４２を第２のケーシング１２の内壁面に固定し、振動膜モジュールの枠状フレーム２１の一端をコイル３の第１のケーシング１１に固定して開口を通り抜け、他端を第１のケーシング１１の開口に直接固定し、最後に、第１のケーシング１１、振動膜モジュール及コイル３の組合せの全体を第１のケーシング１１に固定すればよい。
【００６０】
図３に示すように、ダイアフラム２２に２つの平行の調整孔２２５がさらに設けられ、例えば、長腰孔が設けられ、各々の調整孔２２５は、コイル３から永久磁石方向に向かって延在し、調整孔２２５の設置により、コイル３から発生する電磁界がダイアフラム２２の単位面積当たりに分布する磁界強度を強くにし、ダイアフラム２２と２つの永久磁石との固定磁界の相互作用を強めて、さらに、受話器のラウドネスを大きくにする。あるいは、調整孔２２５と第１の隙間２４とが連通することで、ダイアフラム２２の振動の自由度を大きくにし、同じ電磁駆動力で、ダイアフラム２２が振動しやすくなる。
【００６１】
また、この実施形態のハウジング１、ダイアフラム２２は、高透磁率鉄ニッケル合金材料を用いることにより、第１の永久磁石４１と第１のケーシング１１、ダイアフラム２２との間に第１の磁気回路が形成され、第２の永久磁石４２と第２のケーシング１２、ダイアフラム２２との間に第２の磁気回路が形成され、ハウジング１とダイアフラム２２の厚さを制御し、ハウジング１と振動膜モジュールとの間がレーザ溶接技術で固定されることにより、第１の磁気回路と第２の磁気回路とが理想的な回路に形成され、電磁性能を好適に発揮させる。また、コイルは２つの永久磁石と並設することで、受話器の厚さがコイルの厚さのみで決定され、それによりこれに需要に応じて異なる厚さの受話器を作製することができる。
【００６２】
実施例１の一番目の代替実施形態として、振動膜モジュールは、第１のケーシング１１の内壁面または第２のケーシング１２の内壁面に固定されてもよい。
【００６３】
実施例１の二番目の代替実施形態として、ダイアフラム２２にも補強リブを成型してもよく、例えば、ダイアフラム２２の頂部または底部面に補強リブ２２６を成型してもよく、ダイアフラム２２の剛性を大きくにし、さらに、受話器のラウドネスを大きくにする。
【００６４】
実施例１の三番目の代替実施形態として、枠状フレーム２１は、支持部２１４を設けなくてもよく、第１の取り付け部の対応する位置処の第１のケーシング１１と第２のケーシング１２との開口端の間に密封構造を設けることによって固定され、第１のケーシング１１の底部開口と第２のケーシング１２の頂部開口を面一にして固定され、あるいは、枠状フレーム２１自体は矩形を呈しており、この場合、第１のケーシング１１と第２のケーシング１２とのコイルが取り付けされる位置処の部分は外に突出しており、枠状フレーム２１がハウジング１に固定される場合に、枠状フレーム２１の一部の側壁は、コイル３を枠状フレーム２１に密封固定して套設するように、依然としてハウジング１の内壁面との間が取り付け領域に形成されることができる。
【００６５】
＜実施例２＞
本実施例に係る薄型受話器が実施例１に係る受話器と比較して、相違点は以下のとおりであり、図６および図７に示すように、ダイアフラム２２は、ダイアフラム本体２２３とリード２２４とを備え、ダイアフラム本体２２３の一端が枠状フレーム２１に成型され、他端が宇枠状フレーム２１の内部キャビティに宙に浮いており、ダイアフラム本体２２３と枠状フレーム２１との間が第１の隙間２４に形成され、ダイアフラム本体２２３は、非磁性材料で作られ、例えば、高弾性の軽量材料、アルミニウムマグネシウム合金、アルミニウム合金等の材料であり、リード２２４は軟磁性材料で作られ、密封膜２３は、ダイアフラム本体２２３と枠状フレーム２１に固定され、全ての第１の隙間２４を覆う。あるいは、ダイアフラム本体２２３は、実施例１に類似するダイアフラムの第１部分と第２部分とも備える。あるいは、密封膜は、枠状フレーム、ダイアフラム本体およびリードに固定される。
【００６６】
例えば、図７に示すように、ダイアフラム本体２２３の頂部面には、取り付け孔または取り付け凹溝が設けられ、リード２２４が取り付け孔または取り付け凹溝内に嵌装され、あるいは、リード２２４は、図８および図９に示すように、ダイアフラム本体２２３の頂部面に直接固定される。
【００６７】
あるいは、図１０に示すように、リード２２４は２つであり、２つのリード２２４は、それぞれダイアフラム本体２２３の頂部面と底部面に固定され、２つのリード２２４を設けることにより、リード２２４での電磁界と２つの永久磁石との相互作用を強める。
【００６８】
実施例２の一番目の代替実施形態として、密封膜２３はリード２２４を覆われてもよく、あるいは、密封膜２３をリード２２４と枠状フレーム２１に固定し、第１の隙間２４を密封すればよい。
【００６９】
＜実施例３＞
本実施例に係る薄型受話器が実施例１または実施例２に係る受話器と比較して、相違点は以下のとおりであり、実施例１の技術案または実施例２の技術案に基づいて、図１１に示すように、枠状フレーム２１とコイル３内孔壁面とが接続する処の側壁位置には、第２のキャビティに向かって折り曲げる２つの第１の延在部２１３が設けられる。すなわち、第１の取り付け部２１１の両端には、それぞれ第２のキャビティに向かって折り曲げるひとつの第１の延在部２１３が設けられ、コイル３が２つの第１の延在部２１３外に被せられ、コイル３内孔の両側壁は、それぞれひとつの第１の延在部２１３の外壁面との間と密封固定する。
【００７０】
この実施形態において、枠状フレーム２１の第１の取り付け部に第１の延在部２１３を設け、コイル３内孔壁面と枠状フレーム２１側壁との間の密封接続の堅牢性を強めることにより、振動膜モジュールを境にして、ハウジング１の取り付けキャビティを並列する第１のキャビティ１３と第２のキャビティ１４とに分割し、全体ダイアフラム２２がいずれも振動できることを確保し、さらに、全体発声過程で受話器のラウドネスが改善されることを確保する。
【００７１】
変形実施形態として、枠状フレーム２１の第１の取り付け部２１１とコイル３との接続の堅牢性を強めるように、ひとつの第１の延在部２１３のみを設けてもよく、または、より多く設けてもよく、例えば、３つ、４つ、５つ等である。
【００７２】
＜実施例４＞
本実施例に係る薄型受話器が実施例３に係る受話器と比較して、相違点は以下のとおりであり、実施例３の技術案に基づいて、図１２に示すように、さらに、支持部２１４の底部に第２のキャビティ１４に向かって折り曲げる２つの第２の延在部２１５が設けられ、２つの第２の延在部２１５の内面は、それぞれコイル３の外周の両側に固定され、第１の延在部２１３と第２の延在部２１５との協力によって、コイル３の内孔壁と第１の延在部２１３とが固定され、コイル３の外壁面と第２の延在部２１５との固定は、コイル３と枠状フレーム２１との固定をさらに強め、堅牢性を増す。
【００７３】
＜実施例５＞
本実施例に係る薄型受話器が実施例２に係る受話器と比較して、相違点は以下のとおりであり、図１３および図１４に示すように、ダイアフラム本体２２３は、第２部分のみを備え、リード２２４の一端がダイアフラム本体２２３に固定され、他端が枠状フレーム２１の第１の取り付け部２１１に固定され、すなわち、ダイアフラム本体２２３の一端がその上に固定されるリード２２４によって、枠状フレーム２１に固定される。例えば、リード２２４がダイアフラム本体２２３の頂部面に固定されるのは、上記振動発声過程も実現できる。
【００７４】
あるいは、図１５および図１６に示すように、リード２２４は２枚であり、２枚のリード２２４の一端がそれぞれにダイアフラム本体２２３の頂部面と底部面とに固定され、２枚リード２２４のコイル内に入り込む一端がいずれも枠状フレームの第１の取り付け部に固定されるのは、上記振動発声過程も実現できる。
【００７５】
＜実施例６＞
本実施例に係る薄型受話器が実施例１に係る受話器と比較して、相違点は以下のとおりであり、図１７に示すように、枠状フレーム２１の支持部２１４は、実施例１における（図５に示すように）枠状フレーム２１の支持部２１４と異なり、本実施例における２つの支持部２１４は、第１の取り付け部に平行で第１の取り付け部の両側に位置して、支持部２１４が第１の取り付け部２１１に固定されなく、第１の取り付け部２１１が囲まされなく、支持部２１４もハウジング１に固定され、例えば、第１のケーシング１１の底部開口と第２のケーシング１２の頂部開口の間に挟持して固定され、枠状フレーム２１を比較的平坦にハウジング２１に固定することができ、受話器の取り付けに便利である。
【００７６】
＜実施例７＞
本実施例に係る薄型受話器が実施例１乃至実施例６のいずれかの実施例に係る受話器と比較して、相違点は以下のとおりであり、
密封膜２３は、ダイアフラム２２に固定されないが、全体枠状フレーム２１に展張して固定されてもよく、依然として、枠状フレーム２１とダイアフラム２２との間の全ての第１の隙間２４を密封して覆うことができ、あるいは、ハウジング１の内面とコイル３の内孔に直接固定され、枠状フレーム２１に固定されなくてもよく、依然として、枠状フレーム２１とダイアフラム２２との間の全ての第１の隙間２４を密封して覆うことができ、依然として、ダイアフラム２２がコイル内孔に入り込む部分を振動して発声させ、ダイアフラムの有効振動面積を大きくして、受話器のラウドネスを改善することができる。
【００７７】
＜実施例８＞
本実施例に係る薄型受話器が実施例１乃至実施例７のいずれかの実施例に係る受話器と比較して、相違点は以下のとおりであり、コイルの構造が異なり、具体的には、図１８乃至図２０に示すように、コイル３内孔壁に？称する２つの位置決め部３１が設けられ、コイル３は、位置決め部３１設置により、前記枠状フレーム２１に套接され、位置決め部３１設置は、コイル３と枠状フレーム２１との套接組立に便利である。
【００７８】
具体的には、位置決め部３１は、コイル３内孔壁に外から内に凹んでいる凹溝であり、枠状フレーム２１の第１の取り付け部２１１の両側壁端は、それに隣接する凹溝内にそれぞれ嵌装され、２つの位置決め部は、コイル３と第１の取り付け部２１１との取り付けがあるべき位置に着いた後、第１の取り付け部２１１を水平状態にすることができるよう、対称に設けられる。
【００７９】
例えば、図１８に示すように、凹溝の縦断面の形状はＵ型であり、コイル３を枠状フレーム２１に組立する場合に、枠状フレーム２１の第１の取り付け部２１１がコイルの内孔を通り抜ける場合に、第１の取り付け部２１１の両側壁端にひとつのＵ型溝をそれぞれ通り抜けさせることだけを必要とする。Ｕ型溝の２つの溝壁は、第１の取り付け部２１１の位置に位置決め作用を奏することができ、コイルと第１の取り付け部２１１の取り付けがあるべき位置に着くことに便利である。例えば、Ｕ型溝の内壁面に接着剤を設けてもよく、第１の取り付け部２１１がＵ型溝内に挿入する場合に、第１の取り付け部がＵ型溝内に接着され、コイル３と第１の取り付け部２１１との密封套接を実現する。
【００８０】
あるいは、図１９に示すように、凹溝の縦断面の形状はＶ型であり、第１の取り付け部２１１の両側壁端は、それぞれひとつのＶ型凹溝内に嵌り込み、コイルが第１の取り付け部２１１に套接される場合に、第１の取り付け部２１１を位置決めることを実現することができる。
【００８１】
あるいは、図２０に示すように、凹溝の縦断面の形状は、Ｕ型およびＵ型開口処に接合して固定される倒立台形をさらに備えてもよく、倒立台形の長辺処に凹溝の切り欠きが形成され、第１の取り付け部２１１の両側壁端は、それぞれ倒立台形を通ってＵ型凹溝内に嵌り込み、第１の取り付け部２１１がコイル３と協力する時の位置決めを実現する。倒立台形の設置は、凹溝の切り欠きにフレア構造を呈させ、第１の取り付け部２１１がＵ型溝に嵌り込む場合に、コイル３の内孔壁は第１の取り付け部２１１に衝突するはずはない。
【００８２】
代替実施形態として、凹溝の断面形状は他の形状であってもよく、例えば、凹溝の縦断面形状はＷ型、Ｓ型などであってもよく、それに対応して、該凹溝と協力する枠状フレームの両側壁端を該凹溝内に嵌め込むのに適した造形にすればよい。。
【００８３】
代替実施形態として、前記凹溝はさらに他の位置決め部３１に取り替えられてもよく、例えば、位置決め部３１はコイル３内孔壁に設けられた段差面であり、第１の取り付け部２１１の両側端はそれぞれ一つの段差面にスプライスされる。
【００８４】
代替実施形態として、位置決め部３１は、コイル３の内孔壁に設けられた突出部であり、それに対応して、第１の取り付け部２１１の側壁に通し溝が設けられ、通し溝が該突出部に套接され、コイル３が枠状フレーム２１と協力する時の取り付け位置決めも実現することができる。あるいは、位置決め部３１は他の構造であってもよく、コイル３と枠状フレーム２１とを取り付ける場合に位置決め作用を奏する構造であればよく、すなわち、コイルの内孔壁に位置決め部が設けられ、該位置決め部により枠状フレームの側壁端と協力し、両者の取り付ける時の位置決めを実現すればよい。
【００８５】
また、あるいは、コイル３の内孔３２は方形内孔であり、勿論、円形の内孔であってもよく、他の形状の内孔であってもよい。
【００８６】
勿論、上記実施例は、挙げられた例を明確に説明するためのものに過ぎず、実施形態を限定するものではない。当業者であれば、上記説明に基づいて、他の様々な形式の変化または変更を行うことができる。ここで、あらゆる実施形態を１つずつ説明する必要がなく、またその方法もない。これにより派生した明らかな変化または変更は依然として本願の創造する保護範囲内にある。
【符号の説明】
【００８７】
１    ハウジング
１１    第１のケーシング
１２    第２のケーシング
１３    第１のキャビティ
１１１  放音孔
１４    第２のキャビティ
２１    枠状フレーム
２１１  第１の取り付け部
２１２  第２の取り付け部
２１３  第１の延在部
２１４  支持部
２１５  第２の延在部
２２    ダイアフラム
２２１  固定端
２２２  宙吊り端
２２３  ダイアフラム本体
２２４  リード
２２５  調整孔
２２６  補強リブ
２３    密封膜
２４    第１の隙間
３    コイル
３１    位置決め部
３２    内孔
４１    第１の永久磁石
４２    第２の永久磁石
【図１】
2021503187.tif 000008
【図２】
2021503187.tif 000009
【図３】
2021503187.tif 000010
【図４】
2021503187.tif 000011
【図５】
2021503187.tif 000012
【図６】
2021503187.tif 000013
【図７】
2021503187.tif 000014
【図８】
2021503187.tif 000015
【図９】
2021503187.tif 000016
【図１０】
2021503187.tif 000017
【図１１】
2021503187.tif 000018
【図１２】
2021503187.tif 000019
【図１３】
2021503187.tif 000020
【図１４】
2021503187.tif 000021
【図１５】
2021503187.tif 000022
【図１６】
2021503187.tif 000023
【図１７】
2021503187.tif 000024
【図１８】
2021503187.tif 000025
【図１９】
2021503187.tif 000026
【図２０】
2021503187.tif 000027
【国際調査報告】
2021503187.tif 000028
2021503187.tif 000029
2021503187.tif 000030
2021503187.tif 000031